(57)【要約】【課題】  手続きを簡単にしつつ利用者の意図に合った柔軟なネットワークサービスを提供し得るネットワークサービス提供装置およびネットワークサービス提供プログラムを提供する。【解決手段】  図１に示すネットワークサービス提供システム１は、複数の情報表示装置２ｉ（ｉ＝ａ，ｂ，…，ｎ）、情報配信装置３（ネットワークサービス提供装置ともいう）、及びコンピュータネットワーク４を備えており、情報表示装置２ｉ同士が接触することにより、情報配信装置３が、一方の情報表示装置２ａに提供しているネットワークサービスと同一のサービスを利用者の意図に合わせて他方の情報表示装置２ｂにも配信するようになっているコンピュータシステムである。【選択図】      図１
2005148907.tif 000002
【特許請求の範囲】
【請求項１】
複数の利用者が利用するそれぞれの利用者端末とコンピュータネットワークを介して相互に通信可能であり、一の前記利用者に利用されている所定のネットワークサービスを他の前記利用者の意図に合わせて提供するネットワークサービス提供装置であって、
前記利用者端末ごとに、該利用者端末が現在利用しているネットワークサービスに関する利用コンテキスト情報を記憶する利用コンテキスト記憶手段と、
前記利用者ごとに、前記利用者のユーザプロファイルに関するユーザコンテキスト情報を記憶するユーザコンテキスト記憶手段と、
前記利用者端末ごとに、前記利用者端末の利用環境に関する環境コンテキスト情報を記憶する環境コンテキスト記憶手段と、
前記一の利用者が利用する利用者端末の前記利用コンテキスト情報、前記一の利用者の前記ユーザコンテキスト情報、および前記一の利用者が利用する利用者端末の前記環境コンテキスト情報に従って、前記一の利用者が利用する利用者端末に前記ネットワークサービスを提供する第１のサービス提供手段と、
前記一の利用者に利用されている前記ネットワークサービスを前記他の利用者に提供する契機を所定の方法で認識する契機認識手段と、
前記契機を認識すると、前記一の利用者が利用する利用者端末の前記利用コンテキスト情報に従って、前記一の利用者に利用されているネットワークサービスの仕様および内容に関するサービスコンテキスト情報を取得するサービスコンテキスト取得手段と、
前記一の利用者が利用する利用者端末の前記利用コンテキスト情報を基に、取得した前記サービスコンテキスト情報と前記他の利用者の前記ユーザコンテキスト情報との内容の整合性を加味して、前記他の利用者が利用する利用者端末の前記利用コンテキスト情報を設定する利用コンテキスト設定手段と、
前記他の利用者が利用する利用者端末の前記利用コンテキスト情報、前記他の利用者の前記ユーザコンテキスト情報、および前記他の利用者が利用する利用者端末の前記環境コンテキスト情報に従って、前記他の利用者が利用する利用者端末に前記ネットワークサービスを提供する第２のサービス提供手段と、
を有することを特徴とするネットワークサービス提供装置。
【請求項２】
前記利用コンテキスト設定手段は、
前記他の利用者の前記ユーザコンテキスト情報が設定されていない場合には、前記一の利用者の前記ユーザコンテキスト情報を前記他の利用者の前記ユーザコンテキスト情報に複写して、設定することを特徴とする請求項１記載のネットワークサービス提供装置。
【請求項３】
前記利用コンテキスト設定手段は、
取得した前記サービスコンテキスト情報と前記他の利用者の前記ユーザコンテキスト情報との内容の整合性がとれる場合には、前記一の利用者が利用する利用者端末の前記利用コンテキスト情報を前記他の利用者が利用する利用者端末の前記利用コンテキスト情報に複写して、設定することを特徴とする請求項１又は２記載のネットワークサービス提供装置。
【請求項４】
前記利用コンテキスト設定手段は、
取得した前記サービスコンテキスト情報と前記他の利用者の前記ユーザコンテキスト情報との内容の整合性がとれない場合には、取得した前記サービスコンテキスト情報と前記他の利用者の前記ユーザコンテキスト情報に基づいて、類似したネットワークサービスを検索し、該類似したネットワークサービスに関する前記利用コンテキスト情報を取得する手段と、
前記類似したネットワークサービスに関する前記利用コンテキスト情報に従って、前記類似したネットワークサービスの前記サービスコンテキスト情報を取得する手段と、
前記類似したネットワークサービスの前記サービスコンテキスト情報と前記他の利用者の前記ユーザコンテキスト情報との内容の整合性がとれる場合には、前記類似したネットワークサービスに関する前記利用コンテキスト情報を前記他の利用者が利用する利用者端末の前記利用コンテキスト情報に複写して、設定する手段と、
を有することを特徴とする請求項１又は２記載のネットワークサービス提供装置。
【請求項５】
複数の利用者が利用するそれぞれの利用者端末とコンピュータネットワークを介して相互に通信可能なコンピュータが、一の前記利用者に利用されている所定のネットワークサービスを他の前記利用者の意図に合わせて提供するネットワークサービス提供プログラムであって、
前記コンピュータを、
前記利用者端末ごとに、該利用者端末が現在利用しているネットワークサービスに関する利用コンテキスト情報を記憶する利用コンテキスト記憶手段と、
前記利用者ごとに、前記利用者のユーザプロファイルに関するユーザコンテキスト情報を記憶するユーザコンテキスト記憶手段と、
前記利用者端末ごとに、前記利用者端末の利用環境に関する環境コンテキスト情報を記憶する環境コンテキスト記憶手段と、
前記一の利用者が利用する利用者端末の前記利用コンテキスト情報、前記一の利用者の前記ユーザコンテキスト情報、および前記一の利用者が利用する利用者端末の前記環境コンテキスト情報に従って、前記一の利用者が利用する利用者端末に前記ネットワークサービスを提供する第１のサービス提供手段と、
前記一の利用者に利用されている前記ネットワークサービスを前記他の利用者に提供する契機を所定の方法で認識する契機認識手段と、
前記契機を認識すると、前記一の利用者が利用する利用者端末の前記利用コンテキスト情報に従って、前記一の利用者に利用されているネットワークサービスの仕様および内容に関するサービスコンテキスト情報を取得するサービスコンテキスト取得手段と、
前記一の利用者が利用する利用者端末の前記利用コンテキスト情報を基に、取得した前記サービスコンテキスト情報と前記他の利用者の前記ユーザコンテキスト情報との内容の整合性を加味して、前記他の利用者が利用する利用者端末の前記利用コンテキスト情報を設定する利用コンテキスト設定手段と、
前記他の利用者が利用する利用者端末の前記利用コンテキスト情報、前記他の利用者の前記ユーザコンテキスト情報、および前記他の利用者が利用する利用者端末の前記環境コンテキスト情報に従って、前記他の利用者が利用する利用者端末に前記ネットワークサービスを提供する第２のサービス提供手段と、
して機能させることを特徴とするネットワークサービス提供プログラム。
【請求項６】
前記利用コンテキスト設定手段は、
前記他の利用者の前記ユーザコンテキスト情報が設定されていない場合には、前記一の利用者の前記ユーザコンテキスト情報を前記他の利用者の前記ユーザコンテキスト情報に複写して、設定することを特徴とする請求項５記載のネットワークサービス提供プログラム。
【請求項７】
前記利用コンテキスト設定手段は、
取得した前記サービスコンテキスト情報と前記他の利用者の前記ユーザコンテキスト情報との内容の整合性がとれる場合には、前記一の利用者が利用する利用者端末の前記利用コンテキスト情報を前記他の利用者が利用する利用者端末の前記利用コンテキスト情報に複写して、設定することを特徴とする請求項５又は６記載のネットワークサービス提供プログラム。
【請求項８】
前記利用コンテキスト設定手段は、
取得した前記サービスコンテキスト情報と前記他の利用者の前記ユーザコンテキスト情報との内容の整合性がとれない場合には、取得した前記サービスコンテキスト情報と前記他の利用者の前記ユーザコンテキスト情報に基づいて、類似したネットワークサービスを検索し、該類似したネットワークサービスに関する前記利用コンテキスト情報を取得する手段と、
前記類似したネットワークサービスに関する前記利用コンテキスト情報に従って、前記類似したネットワークサービスの前記サービスコンテキスト情報を取得する手段と、
前記類似したネットワークサービスの前記サービスコンテキスト情報と前記他の利用者の前記ユーザコンテキスト情報との内容の整合性がとれる場合には、前記類似したネットワークサービスに関する前記利用コンテキスト情報を前記他の利用者が利用する利用者端末の前記利用コンテキスト情報に複写して、設定する手段と、
を有することを特徴とする請求項５又は６記載のネットワークサービス提供プログラム。
【発明の詳細な説明】
【技術分野】
【０００１】
本発明は、利用者にコンピュータネットワークを介したサービスを提供するネットワークサービス提供装置およびネットワークサービス提供プログラムに関する。
【背景技術】
【０００２】
パーソナルコンピュータ（以下、パソコンとよぶ）などの端末を用いてネットワークサービスを利用する場合には、様々な知識が必要であり、また多くの手間をかけてはじめてネットワークサービスを利用できる状態になる。これは、例えば、まず、電源を立ち上げ、ＯＳ（Operating System）にログインし、ネットワークに対するユーザ認証後、ネットワークに接続し、さらに、ブラウザソフトを起動し、所望のネットワークサービスを提供するＵＲＬ（Uniform Resource Locator）を入力し、該ネットワークサービスに対するユーザ認証を行って、初めてサービス利用が開始されるというように、数段階の煩雑な手続きが必要であることを意味する。また、このような手続きは、ネットワークサービスを利用する度に、毎回必要とされるものである。
【非特許文献１】D.A.ノーマン, “パソコンを隠せ、アナログ発想でいこう！”, 新曜社, 2000.
【発明の開示】
【発明が解決しようとする課題】
【０００３】
上述したように、従来においては、ネットワークサービスを利用するときは、電源の立ち上げからサービスに対するユーザ認証まで一連の手続きを踏まなければならないので、手続きが煩雑で、迅速に利用することができないという課題がある。特に、このことは、ＩＴ（Information Technology）機器の操作に慣れていない人にとって、ネットワークサービスの利用を敬遠する要因の１つになっている。
【０００４】
また、特定のネットワークサービスだけを利用できるサービス専用端末として、例えば、電源を上げれば、すぐにネットワークサービスを利用できるような手続が簡便な端末も存在するが、この場合には、利用できるネットワークサービスが画一的で、柔軟性に欠けるという課題がある。
【０００５】
本発明は、上記の課題を解決するためになされたものであり、手続きを簡単にしつつも、利用者の意図に合った柔軟なネットワークサービスを提供し得るネットワークサービス提供装置およびネットワークサービス提供プログラムを提供することを目的とする。
【課題を解決するための手段】
【０００６】
上記目的を達成するため、請求項１記載の本発明は、複数の利用者が利用するそれぞれの利用者端末とコンピュータネットワークを介して相互に通信可能であり、一の前記利用者に利用されている所定のネットワークサービスを他の前記利用者の意図に合わせて提供するネットワークサービス提供装置であって、前記利用者端末ごとに、該利用者端末が現在利用しているネットワークサービスに関する利用コンテキスト情報を記憶する利用コンテキスト記憶手段と、前記利用者ごとに、前記利用者のユーザプロファイルに関するユーザコンテキスト情報を記憶するユーザコンテキスト記憶手段と、前記利用者端末ごとに、前記利用者端末の利用環境に関する環境コンテキスト情報を記憶する環境コンテキスト記憶手段と、前記一の利用者が利用する利用者端末の前記利用コンテキスト情報、前記一の利用者の前記ユーザコンテキスト情報、および前記一の利用者が利用する利用者端末の前記環境コンテキスト情報に従って、前記一の利用者が利用する利用者端末に前記ネットワークサービスを提供する第１のサービス提供手段と、前記一の利用者に利用されている前記ネットワークサービスを前記他の利用者に提供する契機を所定の方法で認識する契機認識手段と、前記契機を認識すると、前記一の利用者が利用する利用者端末の前記利用コンテキスト情報に従って、前記一の利用者に利用されているネットワークサービスの仕様および内容に関するサービスコンテキスト情報を取得するサービスコンテキスト取得手段と、前記一の利用者が利用する利用者端末の前記利用コンテキスト情報を基に、取得した前記サービスコンテキスト情報と前記他の利用者の前記ユーザコンテキスト情報との内容の整合性を加味して、前記他の利用者が利用する利用者端末の前記利用コンテキスト情報を設定する利用コンテキスト設定手段と、前記他の利用者が利用する利用者端末の前記利用コンテキスト情報、前記他の利用者の前記ユーザコンテキスト情報、および前記他の利用者が利用する利用者端末の前記環境コンテキスト情報に従って、前記他の利用者が利用する利用者端末に前記ネットワークサービスを提供する第２のサービス提供手段と、を有することを要旨とする。
【０００７】
ここで、利用者端末は、ネットワークサービス提供装置と筐体として分離されている場合の他、筐体として一体化されている場合も含むものである。また、筐体として分離されている場合においては、複数の利用者端末が同一のネットワークサービス提供装置と接続され、管理されている場合、および複数の利用者端末がそれぞれ異なるネットワークサービス提供装置に接続され、管理されている場合の双方を含むものである。尚、上記の定義は、以下の発明においても同様である。
【０００８】
請求項２記載の本発明は、請求項１記載の発明において、前記利用コンテキスト設定手段は、前記他の利用者の前記ユーザコンテキスト情報が設定されていない場合には、前記一の利用者の前記ユーザコンテキスト情報を前記他の利用者の前記ユーザコンテキスト情報に複写して、設定することを要旨とする。
【０００９】
請求項３記載の本発明は、請求項１又は２記載の発明において、前記利用コンテキスト設定手段は、取得した前記サービスコンテキスト情報と前記他の利用者の前記ユーザコンテキスト情報との内容の整合性がとれる場合には、前記一の利用者が利用する利用者端末の前記利用コンテキスト情報を前記他の利用者が利用する利用者端末の前記利用コンテキスト情報に複写して、設定することを要旨とする。
【００１０】
請求項４記載の本発明は、請求項１又は２記載の発明において、前記利用コンテキスト設定手段は、取得した前記サービスコンテキスト情報と前記他の利用者の前記ユーザコンテキスト情報との内容の整合性がとれない場合には、取得した前記サービスコンテキスト情報と前記他の利用者の前記ユーザコンテキスト情報に基づいて、類似したネットワークサービスを検索し、該類似したネットワークサービスに関する前記利用コンテキスト情報を取得する手段と、前記類似したネットワークサービスに関する前記利用コンテキスト情報に従って、前記類似したネットワークサービスの前記サービスコンテキスト情報を取得する手段と、前記類似したネットワークサービスの前記サービスコンテキスト情報と前記他の利用者の前記ユーザコンテキスト情報との内容の整合性がとれる場合には、前記類似したネットワークサービスに関する前記利用コンテキスト情報を前記他の利用者が利用する利用者端末の前記利用コンテキスト情報に複写して、設定する手段と、を有することを要旨とする。
【００１１】
請求項５記載の本発明は、複数の利用者が利用するそれぞれの利用者端末とコンピュータネットワークを介して相互に通信可能なコンピュータが、一の前記利用者に利用されている所定のネットワークサービスを他の前記利用者の意図に合わせて提供するネットワークサービス提供プログラムであって、前記コンピュータを、前記利用者端末ごとに、該利用者端末が現在利用しているネットワークサービスに関する利用コンテキスト情報を記憶する利用コンテキスト記憶手段と、前記利用者ごとに、前記利用者のユーザプロファイルに関するユーザコンテキスト情報を記憶するユーザコンテキスト記憶手段と、前記利用者端末ごとに、前記利用者端末の利用環境に関する環境コンテキスト情報を記憶する環境コンテキスト記憶手段と、前記一の利用者が利用する利用者端末の前記利用コンテキスト情報、前記一の利用者の前記ユーザコンテキスト情報、および前記一の利用者が利用する利用者端末の前記環境コンテキスト情報に従って、前記一の利用者が利用する利用者端末に前記ネットワークサービスを提供する第１のサービス提供手段と、前記一の利用者に利用されている前記ネットワークサービスを前記他の利用者に提供する契機を所定の方法で認識する契機認識手段と、前記契機を認識すると、前記一の利用者が利用する利用者端末の前記利用コンテキスト情報に従って、前記一の利用者に利用されているネットワークサービスの仕様および内容に関するサービスコンテキスト情報を取得するサービスコンテキスト取得手段と、前記一の利用者が利用する利用者端末の前記利用コンテキスト情報を基に、取得した前記サービスコンテキスト情報と前記他の利用者の前記ユーザコンテキスト情報との内容の整合性を加味して、前記他の利用者が利用する利用者端末の前記利用コンテキスト情報を設定する利用コンテキスト設定手段と、前記他の利用者が利用する利用者端末の前記利用コンテキスト情報、前記他の利用者の前記ユーザコンテキスト情報、および前記他の利用者が利用する利用者端末の前記環境コンテキスト情報に従って、前記他の利用者が利用する利用者端末に前記ネットワークサービスを提供する第２のサービス提供手段と、して機能させることを要旨とする。
【００１２】
請求項６記載の本発明は、請求項５記載の発明において、前記利用コンテキスト設定手段は、前記他の利用者の前記ユーザコンテキスト情報が設定されていない場合には、前記一の利用者の前記ユーザコンテキスト情報を前記他の利用者の前記ユーザコンテキスト情報に複写して、設定することを要旨とする。
【００１３】
請求項７記載の本発明は、請求項５又は６記載の発明において、前記利用コンテキスト設定手段は、取得した前記サービスコンテキスト情報と前記他の利用者の前記ユーザコンテキスト情報との内容の整合性がとれる場合には、前記一の利用者が利用する利用者端末の前記利用コンテキスト情報を前記他の利用者が利用する利用者端末の前記利用コンテキスト情報に複写して、設定することを要旨とする。
【００１４】
請求項８記載の本発明は、請求項５又は６記載の発明において、前記利用コンテキスト設定手段は、取得した前記サービスコンテキスト情報と前記他の利用者の前記ユーザコンテキスト情報との内容の整合性がとれない場合には、取得した前記サービスコンテキスト情報と前記他の利用者の前記ユーザコンテキスト情報に基づいて、類似したネットワークサービスを検索し、該類似したネットワークサービスに関する前記利用コンテキスト情報を取得する手段と、前記類似したネットワークサービスに関する前記利用コンテキスト情報に従って、前記類似したネットワークサービスの前記サービスコンテキスト情報を取得する手段と、前記類似したネットワークサービスの前記サービスコンテキスト情報と前記他の利用者の前記ユーザコンテキスト情報との内容の整合性がとれる場合には、前記類似したネットワークサービスに関する前記利用コンテキスト情報を前記他の利用者が利用する利用者端末の前記利用コンテキスト情報に複写して、設定する手段と、を有することを要旨とする。
【発明の効果】
【００１５】
本発明によれば、利用者の手続きが簡単であっても、利用者の意図に合った柔軟なネットワークサービスを提供することができる。
【００１６】
これにより、利用者は、そのときその場面で必要としている最適なネットワークサービスを利用することができる。
【発明を実施するための最良の形態】
【００１７】
以下、本発明の実施の形態を図面を用いて説明する。
【００１８】
本発明の実施の形態に係るネットワークサービス提供システム１の構成および動作について説明する前に、ネットワークサービス提供システム１の基本的な考え方を、具体的な利用イメージを示す図２を用いて説明する。
【００１９】
図２（ａ）は、電車の運行状況サービスの提供を受けている利用者Ａの様子を示している。利用者Ａは、通勤にＪＲ中央線を利用しているため、現在、携帯型の情報表示装置２ａを用いてＪＲ中央線の運行状況をチェックしている。このような状況下において、利用者Ｂも、この電車の運行状況サービスの提供を受けたい場合には、図２（ｂ）に示すように、利用者Ｂのサービス提供を受けていない情報表示装置２ｂを利用者Ａの情報表示装置２ａに接触させると、利用者Ａの情報表示装置２ａに提供されているサービスと同一のサービスが情報表示装置２ｂにも提供されるようになっている。但し、利用者Ｂは通勤に西武新宿線を利用しているため、情報表示装置２ａに提供されているサービスと全く同じではなく、図２（ｃ）に示すように、西武新宿線の運行状況が提示されるようになっている。
【００２０】
このように、ネットワークサービス提供システム１は、所定のサービスの提供を受けている情報表示装置２ａをサービスの提供を受けていない他の情報表示装置２ｂに接触させると、該サービスが利用者に最適な形で情報表示装置２にコピーされるようになっている。これは、利用者Ａが所定のサービスの提供を受けるのに必要だった手続き（例えば、電源立ち上げ、ＯＳ（Operating System）にログイン、ネットワークに対するユーザ認証、ネットワークに接続、ブラウザソフト起動、ＵＲＬ（Uniform Resource Locator）入力などの一連の手続き）やアプリケーションのインストールや環境設定を利用者Ｂが行わなくても、ネットワークサービス提供システム１が、これら手続きをすでに設定されている端末から流用し、かつ利用者ごとに異なる部分を適切に判断し、修正してサービスを提供するので、利用者Ｂは、自らの意図に合った同一サービスを受けることができるということを示している。
【００２１】
尚、上述したサービスにおいては、サービスコピー機能の契機として情報表示装置２間の接触を利用したが、接触を検知する具体的な手段としては、例えば、ＲＦＩＤ（Radio Frequency IDentification）を利用してもよい。これは、ＲＦタグを各情報表示装置２の表面に取り付けて、情報表示装置２が備えるリーダが該ＲＦタグを読み取ることで接触相手の情報表示装置２を特定するものである。この場合、ＲＦタグの情報が読み取れる距離であれば近接させるだけでもよいものである。
【００２２】
また、接触に限らず同一の機能を生じさせる手段、例えばＩｒＤＡ（赤外線通信）や端末上のボタン操作などを接触操作の代替物として利用してもよい。ここで、ＩｒＤＡは、各情報表示装置２に該当通信装置を具備し、ＩＤを送受することで通信相手の情報表示装置２を特定するものである。また、端末上のボタン操作は、情報表示装置２のボタン押下を接触とみなすものである。尚、以後の説明における「接触」には、接触と同一の機能を生じさせる手段も含むものとする。
【００２３】
次に、上述した機能を実現するネットワークサービス提供システム１の構成について説明する。
【００２４】
図１は、本発明の実施の形態に係るネットワークサービス提供システム１の概略構成図である。図１に示すネットワークサービス提供システム１は、複数の情報表示装置２ｉ（ｉ＝ａ，ｂ，…，ｎ）、情報配信装置３、及びコンピュータネットワーク４を備えており、情報表示装置２ｉ同士が接触することにより、情報配信装置３が、一方の情報表示装置２ａに提供しているネットワークサービスと同一のサービスを利用者の意図に合わせて他方の情報表示装置２ｂにも配信するようになっているコンピュータシステムである。
【００２５】
尚、複数の情報表示装置２ｉは、図１に示すように、複数の情報表示装置２ｉが同一の情報配信装置３に接続されているシステム構成の他、該複数の情報表示装置２ｉそれぞれが異なる情報配信装置３に接続されているシステム構成であってもよいものである。また、情報表示装置２ｉと情報配信装置３が１つの筐体の中に一体化されているようなシステム構成であってもよい。
【００２６】
情報表示装置２ｉは、利用者それぞれが有する携帯可能な利用者端末であり、接触検知手段２１、通信手段２２、情報表示手段２３、およびユーザインタラクション手段２４を備えている。
【００２７】
接触検知手段２１は、情報表示装置２ｉ同士の接触を検知するもので（より詳しくは、接触した相手方の情報表示装置２ｉの端末ＩＤ（情報表示装置２ｉを一意に決定する識別情報）を取得する。）、この検知を契機として、接触した情報表示装置２ｉ同士が対応付けられ、情報表示装置２ｉに提供されている所定のネットワークサービスが、接触した相手方の情報表示装置２ｊ（ｊ＝ａ，ｂ，…，ｎ；但し、ｊ≠ｉ）にも所望の形式で提供されるようになっている。
【００２８】
通信手段２２は、情報配信装置３と通信を行うもので、通信手段２２の通信プロトコルで通信可能な電文を構成し、該電文を情報配信装置３に送信するとともに、通信手段２２を介して受信した電文を情報表示装置２ｉで実行可能な形式に解釈するようになっている。
【００２９】
情報表示手段２３は、通信手段２２により解釈された指示に従い、指示された情報を表示するようになっている。また、ユーザインタラクション手段２４は、情報配信装置３から提示された選択肢の選択を行うために利用者により押下されたボタン入力などの検知および解釈を行うようになっている。
【００３０】
ここで、情報表示装置２ｉの相互接触により、ネットワークサービスを利用していない情報表示装置２ｉが情報配信装置３に送信する情報は、少なくとも接触検知手段２１が取得した接触相手の情報表示装置２ｊおよび自己の情報表示装置２ｉの端末ＩＤを含む情報である。即ち、どの情報表示装置２ｉがどの情報表示装置２ｊに接触したかという情報が情報配信装置３に送信されるようになっている。また、情報表示装置２ｉが情報配信装置３から受信する情報は、サービス提供手段５から取得したサービス情報を情報表示装置２ｉに適した表示形式に変換した情報である。
【００３１】
情報配信装置３は、通信手段３１、スコア化手段３２、スコア保持手段３３、スコア解釈手段３４、および情報収集・加工手段３５を備えており、情報表示装置２ｉが利用するネットワークサービスを提供するネットワークサービス提供装置となっている。
【００３２】
通信手段３１は、情報表示装置２ｉと通信を行うもので、通信手段３１の通信プロトコルで通信可能な電文を構成し、該電文を情報表示装置２ｉに送信するとともに、通信手段３１を介して受信した電文を情報配信装置３で実行可能な形式に解釈するようになっている。
【００３３】
スコア化手段３２は、どのような情報をどの情報表示装置２ｉにどのような形式で出力するかということを記載しているスコア情報（要素として各種コンテキスト情報を含む）を生成するとともに、該スコア情報をスコア保持手段３３に記憶するようになっている。これは、通信手段３１を介して受信した情報から、情報表示装置２ｉ同士の接触を検知したスコア化手段３２は、ネットワークサービスを利用していない情報表示装置２ｉに対してネットワークサービスを利用するのに必要な情報を取得して、スコア情報を生成するようになっており、また、スコア保持手段３３を検索することにより、生成したスコア情報を再利用できるようになっているものである。
【００３４】
スコア解釈手段３４は、スコア化手段３２により生成もしくは検索されたスコア情報を解釈し、実行するようになっており、スコア解釈手段３４の統括の下、必要な情報の収集・加工・配信が行われるようになっている。
【００３５】
情報収集・加工手段３５は、スコア解釈手段３４からの指示により、サービス提供手段５（例えば、所定のネットワークサービスを提供するＷｅｂサーバなど）から必要な情報の収集を行うようになっており、例えば、指示されたＷｅｂページのＵＲＬにアクセスし、Ｗｅｂページの情報を取得するようになっている。また、取得したサービス情報を指示された表示形式により情報表示装置２ｉで表示可能な形に加工するようになっており、加工されたサービス情報は、通信手段３１を介して情報表示装置２ｉに送信するようになっている。
【００３６】
次に、本発明の中核的な機能を担う、スコア保持手段３３に格納されるスコア情報（要素として各種コンテキスト情報を含む）、スコア情報取得に関連するサービス提供手段５、およびスコア化手段３２について、詳細に説明する。
【００３７】
図３は、スコア保持手段３３に格納されるスコア情報（コンテキスト）の構成例を示す図である。図３に示すスコア情報は、少なくとも日時３３１、情報表示装置２ｉの端末ＩＤ３３２、利用コンテキスト３３３、ユーザコンテキスト３３４、および環境コンテキスト３３５から構成されており、スコア保持手段３３は、利用者ごとに該スコア情報を管理するようになっている。ここで、利用コンテキスト３３３とは、利用者が利用する情報表示装置２ｉが現在利用しているネットワークサービスに関連する情報であり、ネットワークサービスのＵＲＬを示すサービスＵＲＬ、後述するサービスコンテキスト５１１のＵＲＩ（Uniform Resource Identifier）を示すサービスコンテキストＵＲＩ、およびサービスＵＲＬに必要な実パラメータなどを備えている。また、ユーザコンテキスト３３４とは、利用者のユーザプロファイルに関する情報であり、また、環境コンテキスト３３５とは、利用者が利用する情報表示装置２ｉの利用環境（例えば、時刻、場所など）に関する情報である。例えば、上述した電車の運行状況サービスを具体例として考えると、利用コンテキスト３３３のサービスＵＲＬとは、中央線の運行状況を提供しているサイトのＵＲＬ（ＵＲＬ＿Ｘ）、サービスコンテキストＵＲＩ（ＵＲＩ＿Ｘ）は該サイトの仕様が記述されているＵＲＩ、実パラメータは、時刻、発着駅、線名などであり、これらパラメータに設定する値は、実際にはユーザコンテキスト３３４および環境コンテキスト３３５に具体的に記載されている。
【００３８】
ここで、サービスコンテキスト５１１とは、サービス提供手段５が提供するネットワークサービスの仕様および内容に関する情報であり、図４に示すように、サービス名、サービスＵＲＬ、入力仕様、出力仕様、サービス概要などの項目を備えており、情報配信装置３は、利用コンテキスト３３３に記載されたサービスコンテキストＵＲＩに従って、サービス提供手段５から一意にサービスコンテキストを取得できるようになっている。尚、該サービスコンテキスト５１１は、データベースなどに記憶されてもよく、その場合には図４に示すようなサービス提供手段５のシステム構成例であってもよい。この場合、サービス提供手段５は、サービスコンテキストデータベース（以下、サービスコンテキストＤＢという）５１の他、サービス提供手段５が提供する静的又は動的なｗｅｂページを記憶しているコンテンツデータベース（以下、コンテンツＤＢという）５２、ネットワークサービスに関する語彙集を記憶しているサービスオントロジーデータベース（以下、サービスオントロジーＤＢという）５３、並びにこれらデータベースを制御して、情報配信装置３と通信を行う通信・制御手段５４を備えている。
【００３９】
スコア化手段３２は、さらに詳しくは、コンテキスト収集手段３２１、利用コンテキスト収集手段３２２、ユーザコンテキスト収集手段３２３、環境コンテキスト収集手段３２４、サービスコンテキスト収集手段３２５、情報配信装置間通信手段３２６、インターネット通信手段３２７、コンテキスト合成手段３２８、整合性検証手段３２９、およびユーザインタラクション手段３３０を具備する構成となっている。
【００４０】
ここで、便宜上、既に所定のネットワークサービスを利用している利用者を利用者Ａ、利用者Ａの情報表示装置を２ａ、まだ上記ネットワークサービスを利用していない利用者を利用者Ｂ、利用者Ｂの情報表示装置を２ｂとし、利用者Ａの持つ情報表示装置２ａで利用しているネットワークサービスを利用者Ｂの持つ情報表示装置２ｂでも利用したい場合を想定して、以下、説明する。
【００４１】
コンテキスト収集手段３２１は、情報表示装置２ｂに提供するネットワークサービスに必要なコンテキストを形成するための材料を収集するもので、具体的には、スコア保持手段３３に記憶される情報表示装置２ｂに関連する各種コンテキストの収集を統括するようになっている。即ち、利用コンテキスト収集手段３２２が、情報表示装置２ａの利用コンテキスト３３３を取得し、ユーザコンテキスト収集手段３２３が、利用者Ａ（情報表示装置２ａの利用コンテキスト３３３に関連する利用者Ａのユーザコンテキスト３３４）および利用者Ｂのユーザコンテキスト３３４を取得し、環境コンテキスト収集手段３２４が、情報表示装置２ｂの環境コンテキスト３３５を取得し、サービスコンテキスト収集手段３２５が、利用コンテキスト収集手段３２２が取得した利用コンテキスト３３３に記載されているサービスコンテキストＵＲＩに従ってサービスコンテキスト５１１を取得するようになっている。
【００４２】
情報配信装置間通信手段３２６は、複数の情報配信装置３間で情報を授受する際の通信手段であり、情報表示装置２ａと情報表示装置２ｂが異なる情報配信装置３と接続されている場合には、利用コンテキスト収集手段３２２およびユーザコンテキスト収集手段３２３が、情報配信装置間通信手段３２６を利用してコンテキストを収集するようになっている。
【００４３】
インターネット通信手段３２７は、サービスコンテキスト収集手段３２５が、情報提供手段５からサービスコンテキストを収集する際のインターネット経由の通信手段である。
【００４４】
コンテキスト合成手段３２８は、コンテキスト収集手段３２１の統括のもと収集した各種コンテキストを合成し、情報表示装置２ｂの利用コンテキスト３３３を構成するもので、必要に応じて、ユーザインタラクションを発生させて利用者の判断を仰いだり、類似のサービスの検索を行ったりして、必要な情報を補完するようになっている。
【００４５】
ここで、ユーザインタラクションを発生させて利用者の判断を仰ぐ場合とは、例えば、上述した電車の運行状況サービスを具体例として考えると、利用者Ｂは実際には通勤用でなく定期的な出張のために東海道新幹線の運行状況を知りたかったという場合が相当する。この場合においては、まず情報配信装置３が西武新宿線の運行状況を提示するが、利用者Ｂによりそれが却下されると、次に情報配信装置３は、どの路線を選択するかという選択肢を利用者Ｂに提示する。そして、利用者Ｂが東海道新幹線の運行状況を選択すると、東海道新幹線の運行状況が提示される。このように、ユーザインタラクションを発生させて利用者の判断を仰ぐことができ、コンテキスト合成において利用者からの選択情報を加味するようになっている。
【００４６】
また、類似のサービスの検索を行ったりする場合とは、後述する整合性検証手段３２９において、情報表示装置２ｂの利用コンテキスト３３３が実際に利用可能でない場合に、類似のネットワークサービスを検索するものであり、例えば、上述した電車の運行状況サービスを具体例として考えると、あるサービス提供手段５がＪＲ中央線の運行状況は提供するが、西武新宿線の運行状況を提供しない場合に、西武新宿線の運行状況を提供するサービスを検索するものであり、具体的には、西武新宿線の運行状況を提供するサービスを求めるクエリを作成し、この要求を検索装置に尋ね、その結果、類似のサービス提供手段５のサービスコンテキストＵＲＩおよびサービスＵＲＬを取得するものである。
【００４７】
整合性検証手段３２９は、コンテキスト合成手段３２８で得た情報表示装置２ｂの利用コンテキスト３３３が実際に利用可能かどうか検証するようになっている。このことを、例えば、上述した電車の運行状況サービスを具体例として考えると、情報表示装置２ｂの利用コンテキストと、取得したサービスコンテキスト５１１に記載されていた入力仕様などとの整合性をチェックする（入力仕様に、線名、発着駅などの実パラメータの値（例えば、西武新宿線、西武東伏見など）があるか否かをチェックし、サービスＸがＪＲ中央線だけでなく、西武新宿線の運行状況サービスも行っているかどうかを確認する）。
【００４８】
その結果、整合性の検証に成功した場合には、情報表示装置２ｂの利用コンテキスト３３３をスコア保持手段３３に記憶させ、該利用コンテキスト３３３に基づいたサービス情報が、スコア解釈手段３４、情報収集・加工手段３５、通信手段３１を介して情報表示装置２ｂに提供される。これに対して、整合性の検証に失敗した場合には、上述したようにコンテキスト合成手段３２８で、類似のサービス情報を検索する。
【００４９】
ユーザインタラクション生成手段３３０は、コンテキスト合成手段３２８および整合性検証手段３２９で、利用者に判断を仰がなければならない場合に、利用者と通信可能なユーザインタラクションを生成し、情報表示装置２ｂに通信手段３１を介して送信するようになっている。
【００５０】
尚、図５は、上述したスコア化手段３２の機能により、情報表示装置２ｂの利用コンテキスト３３３がどのように推移していくかを示しているものである。図５（ａ）は、情報表示装置２ｉが相互接触する前の、情報表示装置２ｂの利用コンテキスト３３３および利用者Ｂのユーザコンテキスト３３４を示しており、この状態においては、情報表示装置２ｂの利用コンテキストには何も設定されていない。次に、図５（ｂ）は、コンテキスト収集手段３２１の統括のもと収集した各種コンテキストを合成し、情報表示装置２ｂの利用コンテキスト３３３を構成した場合の情報表示装置２ｂの利用コンテキスト３３３および利用者Ｂのユーザコンテキスト３３４を示している。この状態においては、情報表示装置２ａの利用コンテキスト３３３の内容がコピーされ、情報表示装置２ｂの利用コンテキスト３３３となっている（尚、利用者Ｂのユーザコンテキスト３３４に何も設定されていない場合には、利用者Ａのユーザコンテキスト３３４もコピーされ、設定される）。これに対して、図５（ｃ）は、類似のサービス提供手段５を検索し、類似のサービス提供手段のサービスコンテキストＵＲＩおよびサービスＵＲＬを取得した場合における情報表示装置２ｂの利用コンテキスト３３３および利用者Ｂのユーザコンテキストの３３４を示している。この状態においては、情報表示装置２ｂの利用コンテキスト３３３は、類似のサービス提供手段５のサービスコンテキストＵＲＩおよびサービスＵＲＬが反映された内容となっている。
【００５１】
コンピュータネットワーク４は、情報表示装置２ｉと情報配信装置３との間、複数の情報配信装置３間、および情報配信装置３とサービス提供手段５との間の情報伝送路であり、例えば、情報表示装置２ｉと情報配信装置３は、無線（例えば、Bluetooth（登録商標）など）のコンピュータネットワークにより相互に通信可能となっている。情報配信装置３間は、有線および無線のＬＡＮなどのコンピュータネットワークで接続されており、情報配信装置３は、インターネット網などの外部のコンピュータネットワークを介してサービス提供手段５と接続されている。
【００５２】
尚、情報表示装置２ｉ、および情報配信装置３は、少なくとも演算機能および制御機能を備えた中央演算装置（ＣＰＵ）、プログラムやデータを格納する機能を有するＲＡＭ等からなる主記憶装置（メモリ）を有する電子的な装置から構成されているものである。また、各装置は、主記憶装置の他、ハードディスクなどの補助記憶装置を具備していてもよい。
【００５３】
また、本実施の形態に係る各種処理を実行するプログラムは、前述した主記憶装置またはハードディスクに格納されているものである。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【００５４】
次に、本実施の形態に係るネットワークサービス提供システム１の動作について図６及び図７を用いて説明する。ここで、図６は、情報表示装置２ａの利用コンテキストがそのまま利用表示装置２ｂにも適用できる場合のシーケンス図であり、図７は、情報表示装置２ａの利用コンテキストがそのままでは利用表示装置２ｂに適用できず、類似のサービスコンテキストを取得した場合のシーケンス図（但し、図６との共通部分は除く）である。
【００５５】
まず、情報表示装置２ａの利用コンテキストがそのまま利用表示装置２ｂにも適用できる場合のネットワークサービス提供システム１の動作について説明する。前提として、情報表示装置２ａを利用している利用者をＡ、情報表示装置２ｂを利用している利用者をＢとし、情報表示装置２ａは情報配信装置３ａを介してサービス提供手段５ｘから既にサービス情報の提供を受けているが、情報表示装置２ｂは情報配信装置３ｂを介してサービス提供手段５ｘからサービス情報の提供を受けていないものとする。
【００５６】
具体的には、以下の動作が繰り返し行われている。まず、情報配信装置３ａがサービス提供手段５ｘにサービス情報の要求をだして、所望のサービス情報を取得する（ステップＳ１１０，Ｓ１２０）。これは、情報表示装置２ａの利用コンテキスト（サービスＵＲＬ、実パラメータなど）に基づいてサービス情報を取得するものである。
【００５７】
次いで、情報配信装置３ａは、取得したサービス情報の加工を行い、加工されたサービス情報を情報表示リクエストとして情報表示装置２ａに送信する（ステップＳ１３０，Ｓ１４０）。
【００５８】
情報表示装置２ａは、情報表示リクエストを受信すると、情報表示を行う（ステップＳ１５０）。これにより、所望のネットワークサービスに関するＷｅｂページが情報表示装置２ａに表示される。そして、情報配信装置３ａが送信したサービス情報を適切に受信して、正常に表示した場合には、正常に表示した旨のメッセージを表示レスポンスとして情報配信装置３ａに送信する（ステップＳ１６０）。これにより、情報配信装置３ａは、情報表示装置２ａの端末状態を把握することができる（ステップＳ１７０）。尚、何かのトラブルが発生して、情報表示装置２ａが正常に情報表示ができなかった場合には、その旨のメッセージを返し、情報配信装置３ａは、サービス情報の再送信を行う。以上のメッセージ授受が定期的に繰り返されているものとする。
【００５９】
このような状態で、情報表示装置２ａを情報表示装置２ｂに接触させると、接触を検知した情報表示装置２ｂと情報配信装置３ｂとの間でセッションが開始され、情報表示装置２ｂは、接触した２つの情報表示装置２ａおよび２ｂの情報表示装置ＩＤを含む情報を送信する（ステップＳ１８０，Ｓ１９０）。
【００６０】
情報配信装置３ｂは、２つの情報表示装置ＩＤを含む情報を受信すると、どの情報表示装置２ｂがどの情報表示装置２ａに接触したかがわかるので、情報表示装置２ａの利用コンテキストおよび利用者Ａのユーザコンテキストを管理している情報配信装置３ａに、情報表示装置２ａの利用コンテキストおよび必要に応じては利用者Ａのユーザコンテキストを要求する（ステップＳ２００，Ｓ２１０）。
【００６１】
コンテキストの要求を受けた情報配信装置３ａは、該当するコンテキストを取得し、情報配信装置３ｂに返答する（ステップＳ２２０）。これにより、情報配信装置３ａの利用コンテキストおよび必要に応じてはユーザコンテキストを取得した情報配信装置３ｂは、取得した利用コンテキストに記載されたサービスコンテキストＵＲＩに従って、サービスコンテキストをサービス提供手段５ｘに要求し、該サービスコンテキストを取得する（ステップＳ２３０，Ｓ２４０，Ｓ２５０）。
【００６２】
次いで、情報配信装置３ｂは、取得した各コンテキストを合成して情報表示装置２ｂの利用コンテキストを構成する（ステップＳ２６０）。尚、コンテキスト合成に際して、利用者による回答・選択が必要な場合には、必要回数だけ、インタラクション要求を発生させ、利用者Ｂからの返答を受け取る（ステップＳ２６１，Ｓ２６２，Ｓ２６３）。
【００６３】
次いで、情報配信装置３ｂは、情報表示装置２ｂの利用コンテキストの整合性を検証し、整合性の検証に成功した場合には、サービス情報を提供するサービス提供手段５ｘの動作確認を要求し、サービス提供手段５ｘの状態を確認する（ステップＳ２７０，Ｓ２８０，Ｓ２９０，Ｓ３００）。この結果、サービス提供手段５ｘのサービス提供に問題がない場合には、情報配信装置３ｂは、サービス提供手段５ｘにサービス情報を要求し、所望のサービス情報を取得する（ステップＳ３１０，Ｓ３２０）。これは、情報表示装置２ｂの利用コンテキスト（サービスＵＲＬ、実パラメータなど）に基づいてサービス情報を取得するものである。
【００６４】
次いで、情報配信装置３ｂは、取得したサービス情報の加工を行い、加工されたサービス情報を情報表示リクエストとして情報表示装置２ｂに送信する（ステップＳ３３０，Ｓ３４０）。
【００６５】
情報表示装置２ｂは、情報表示リクエストを受信すると、情報表示を行う（ステップＳ３５０）。これにより、情報表示装置２ａに表示されていたネットワークサービスに関するＷｅｂページが利用者Ｂの所望の形式で情報表示装置２ｂにも表示される。そして、情報配信装置３ｂが送信したサービス情報を適切に受信して、正常に表示した場合には、正常に表示した旨のメッセージを表示レスポンスとして情報配信装置３ｂに送信する（ステップＳ３６０）。これにより、情報配信装置３ｂは、情報表示装置２ｂの端末状態を把握することができる（ステップＳ３７０）。尚、何かのトラブルが発生して、情報表示装置２ｂが正常に情報表示ができなかった場合には、その旨のメッセージを返し、情報配信装置３ｂは、サービス情報の再送信を行う。
【００６６】
また、情報配信装置３ａおよび３ｂは、定期的に所定の時間間隔をおいてサービス提供手段５ｘから適宜所望のサービス情報を取得するようになっているので、これにより、情報配信装置３ａおよび３ｂは、それぞれ情報表示装置２ａおよび２ｂに最新のサービス情報を提供するようになっている。
【００６７】
従って、本実施の形態によれば、利用表示装置２ａの利用コンテキストを流用して、情報表示装置２ｂの利用コンテキストを生成し、既に情報表示装置２ａに提供されているネットワークサービスを情報表示装置２ｂでも利用することができる。
【００６８】
これにより、利用者Ｂは、利用者Ａがサービスの提供を受けるのに必要であった操作手順を経ることなく、情報表示装置２ａおよび２ｂを相互に接触させるという簡単な操作のみで同一のネットワークサービスを利用者Ｂの意図に応じて利用することができる。
【００６９】
次に、情報表示装置２ａの利用コンテキストがそのままでは利用表示装置２ｂに適用できず、類似のサービスコンテキストを取得した場合のネットワークサービス提供システム１の動作について説明する。前提として、情報表示装置２ａを利用している利用者をＡ、情報表示装置２ｂを利用している利用者をＢとし、情報表示装置２ａは情報配信装置３ａを介してサービス提供手段５ｘから既にサービス情報の提供を受けているが、情報表示装置２ｂは情報配信装置３ｂを介してサービス提供手段５ｘからサービス情報の提供を受けていないものとする。尚、整合性検証までの動作は、上述した図６のステップＳ１１０乃至Ｓ２７０の動作と同一であるため省略し、整合性検証以降の動作について説明する。
【００７０】
まず、情報配信装置３ｂは、情報表示装置２ｂの利用コンテキストの整合性を検証し、整合性の検証に失敗した場合には、類似のサービスを検索すべく、クエリを生成し、検索装置５ｚにクエリを送信する（ステップＳ５１０，Ｓ５２０，Ｓ５３０）。検索要求を受けた検索装置５ｚは、類似のサービス（サービス提供手段５ｙ）を発見し、検索結果として類似のサービスのサービスコンテキストＵＲＩおよびサービスＵＲＬを情報配信装置３ｂに送信する（ステップＳ５４０）。
【００７１】
サービス提供手段５ｙのサービスコンテキストＵＲＩおよびサービスＵＲＬを取得した（手順としては、まず、サービスコンテキストＵＲＩを取得し、次にサービスコンテキストそのものを取得する）情報配信装置３ｂは、取得した各コンテキストを合成して情報表示装置２ｂの利用コンテキストを再構成する（ステップＳ５５０）。尚、コンテキスト合成に際して、利用者による回答・選択が必要な場合には、必要回数だけ、インタラクション要求を発生させ、利用者Ｂからの返答を受け取る（ステップＳ５５１，Ｓ５５２，Ｓ５５３）。
【００７２】
次いで、情報配信装置３ｂは、情報表示装置２ｂの利用コンテキストの整合性を検証し、整合性の検証に成功した場合には、サービス情報を提供するサービス提供手段５ｙの動作確認を要求し、サービス提供手段５ｙの状態を確認する（ステップＳ５７０，Ｓ５８０，Ｓ５９０）。この結果、サービス提供手段５ｙのサービス提供に問題がない場合には、情報配信装置３ｂは、サービス提供手段５ｙにサービス情報の要求をだして、所望のサービス情報を取得する（ステップＳ６００，Ｓ６１０）。これは、情報表示装置２ｂの利用コンテキスト（サービスＵＲＬ、実パラメータなど）に基づいてサービス情報を取得するものである。
【００７３】
次いで、情報配信装置３ｂは、取得したサービス情報の加工を行い、加工されたサービス情報を情報表示リクエストとして情報表示装置２ｂに送信する（ステップＳ６２０，Ｓ６３０）。
【００７４】
情報表示装置２ｂは、情報表示リクエストを受信すると、情報表示を行う（ステップＳ６４０）。これにより、情報表示装置２ａに表示されていたネットワークサービスに関するＷｅｂページが利用者Ｂの所望の形式で情報表示装置２ｂにも表示される。そして、情報配信装置３ｂが送信したサービス情報を適切に受信して、正常に表示した場合には、正常に表示した旨のメッセージを表示レスポンスとして情報配信装置３ｂに送信する（ステップＳ６５０）。これにより、情報配信装置３ｂは、情報表示装置２ｂの端末状態を把握することができる（ステップＳ６６０）。尚、何かのトラブルが発生して、情報表示装置２ｂが正常に情報表示ができなかった場合には、その旨のメッセージを返し、情報配信装置３ｂは、サービス情報の再送信を行う。
【００７５】
また、情報配信装置３ａおよび３ｂは、定期的に所定の時間間隔をおいてサービス提供手段５ｘおよび５ｙから適宜所望のサービス情報を取得するようになっているので、これにより、情報配信装置３ａおよび３ｂは、それぞれ情報表示装置２ａおよび２ｂに最新のサービス情報を提供するようになっている（ステップＳ６７０〜Ｓ７８０）。
【００７６】
従って、本実施の形態によれば、利用表示装置２ａの利用コンテキストを流用し、同一サービスを受けることができなくても、さらに類似のネットワークサービスのサービスコンテキストを取得して、情報表示装置２ｂの利用コンテキストとするので、既に情報表示装置２ａに提供されているネットワークサービスを情報表示装置２ｂでも利用することができる。
【００７７】
これにより、利用者Ｂは、利用者Ａがサービスの提供を受けるのに必要であった操作手順を経ることなく、情報表示装置２ａおよび２ｂを相互に接触させるという簡単な操作のみで同一のネットワークサービスを利用者Ｂの意図に応じて利用することができる。
【図面の簡単な説明】
【００７８】
【図１】本発明の実施の形態に係るネットワークサービス提供システムの概略構成図である。
【図２】ネットワークサービス提供システムの利用イメージを説明する図である。
【図３】本発明の実施の形態に係るネットワークサービス提供システムにおけるスコア保持手段に格納されるデータを説明する図である。
【図４】本発明の実施の形態に係るネットワークサービス提供システムにおけるサービス提供手段の概略構成図である。
【図５】本発明の実施の形態に係るネットワークサービス提供システムにおける利用コンテキストおよびユーザコンテキストの設定状態を説明する図である。
【図６】本発明の実施の形態に係るネットワークサービス提供システムの動作を説明するシーケンス図である。
【図７】本発明の実施の形態に係るネットワークサービス提供システムの動作を説明するシーケンス図である。
【符号の説明】
【００７９】
１  ネットワークサービス提供システム
２ｉ  情報表示装置（利用者端末の一例）
３  情報配信装置（ネットワークサービス提供装置の一例）
４  コンピュータネットワーク
５  サービス提供手段
２１  接触検知手段
２２  通信手段
２３  情報表示手段
２４  ユーザインタラクション手段
３１  通信手段
３２  スコア化手段
３３  スコア保持手段
３４  スコア解釈手段
３５  情報収集・加工手段
３２１  コンテキスト収集手段
３２２  利用コンテキスト収集手段
３２３  ユーザコンテキスト収集手段
３２４  環境コンテキスト収集手段
３２５  サービスコンテキスト収集手段
３２６  情報配信装置間通信手段
３２７  インターネット通信手段
３２８  コンテキスト合成手段
３２９  整合性検証手段
３３０  ユーザインタラクション生成手段
【図１】
2005148907.tif 000003
【図２】
2005148907.tif 000004
【図３】
2005148907.tif 000005
【図４】
2005148907.tif 000006
【図５】
2005148907.tif 000007
【図６】
2005148907.tif 000008
【図７】
2005148907.tif 000009